(57)【要約】【課題】タンクへの開閉機器の接続支持構造を簡略にし、タンク外で組立た機器を一括挿入して一つのフランジでタンクに支持できるガス絶縁開閉装置。【解決手段】断路器のおよび接地開閉器の固定接触子を整列させてフランジ上に絶縁支持し、可動接触子を共通の橋絡形のものとして、フランジと一方の固定接触子とを貫通した絶縁操作ロッドで開閉駆動させる。可動接触子は、第１の導体に対してほぼ直角な軸心を持つ長い部材であり、第１の固定接触子は可動接触子の周面を囲むように環状に配置されており、絶縁操作ロッドの軸心は可動接触子の軸心とほぼ整列している。【選択図】　　　　図１
2004096806.tif 000002
【特許請求の範囲】
【請求項１】
絶縁ガスを封入したタンクと、このタンク内に設けられた第１および第２の導体と、上記第１および第２の導体を断路する断路器と、上記断路器が開位置にあるとき上記第１の導体を接地させる接地開閉器とを備え、
上記断路器は、上記導体にそれぞれ設けられた第１および第２の固定接触子と、上記第１の固定接触子に対して常時接触しつつ摺動して上記第２の固定接触子に対して離接し、これら第１および第２の固定接触部子間を開閉する橋絡型の可動接触子と、上記可動接触子を開閉駆動する操作機構とを備え、
上記接地開閉器は、上記第１の固定接触子に上記可動接触子である共通の橋絡型の可動接触子と、上記タンクに設けられ、上記可動接触子が上記第２の固定接触子から開離したときに上記可動接触子によって接触され、上記絶縁操作ロッドが貫通して延びた接地用の第３の固定接触子とを備え、
上記操作機構は、上記可動接触子の摺動方向に上記第１の固定接触子を貫通して延びた絶縁操作ロッドを備えたものであることを特徴とするガス絶縁開閉装置。
【請求項２】
上記可動接触子は、上記第１の導体に対してほぼ直角な軸心を持つ長い部材であり、上記第１の固定接触子は上記可動接触子の周面を囲むように環状に配置されており、上記絶縁操作ロッドの軸心は上記可動接触子の上記軸心とほぼ整列していることを特徴とする請求項１記載のガス絶縁開閉装置。
【請求項３】
上記断路器および上記接地開閉器は、上記可動接触子、上記第１の固定接触子および上記第２の固定接触子を支持する絶縁支持装置を備え、上記タンクの開口を閉塞する上記フランジだけに支持されたことを特徴とする請求項１あるいは２記載のガス絶縁開閉装置。
【請求項４】
上記断路器および上記接地開閉器の上記タンク内に収容される部分の寸法が、上記タンク開口の寸法よりも小さくされ、上記断路器および上記接地開閉器を上記フランジ上に組立てた状態のまま上記タンク内へ一括挿入し得るようにしたことを特徴とする請求項１乃至３のいずれか一項に記載のガス絶縁開閉装置。
【請求項５】
上記第１の固定接触子は、上記第２の固定接触子に対向した断路器接触点と、上記第３の固定接触子に対向した接地開閉器接触点とを、別構造として備えた請求項１乃至４のいずれか一項に記載のガス絶縁開閉装置。
【請求項６】
上記第１の固定接触子は、上記第２の固定接触子に対向した断路器接触点と、上記第３の固定接触子に対向した接地開閉器接触点とを共通の単一の接触点として備えた請求項１乃至４のいずれか一項に記載のガス絶縁開閉装置。
【請求項７】
絶縁ガスを封入したタンクと、このタンク内に設けられた第１および第２の導体と、上記第１および第２の導体を断路する断路器とを備え、上記断路器は、上記導体にそれぞれ設けられた第１および第２の固定接触子と、これら第１および第２の固定接触部間を開閉する橋絡他型の可動接触子と、上記可動接触子を開閉駆動する操作機構とを備え、
上記可動接触子は、上記第１の固定接触子に対して常時接触しつつ摺動して上記第２の固定接触子に対して離接し得るものであり、
上記操作機構は、上記可動接触子の摺動方向に上記第１の固定接触子を貫通して延びた絶縁操作ロッドを備えたものであることを特徴とするガス絶縁開閉装置。
【請求項８】
上記可動接触子は、上記第１の導体に対してほぼ直角な軸心を持つ長い部材であり、上記第１の固定接触子は上記可動接触子の周面を囲むように環状に配置されており、上記絶縁操作ロッドの軸心は上記可動接触子の上記軸心とほぼ整列していることを特徴とする請求項７記載のガス絶縁開閉装置。
【請求項９】
上記断路器は、上記タンクの開口を閉塞する上記フランジだけによって上記タンクに支持されていることを特徴とする請求項７あるいは８記載のガス絶縁開閉装置。
【請求項１０】
上記断路器の上記タンク内に収容される部分の寸法が、上記タンク開口の寸法よりも小さくされ、上記断路器を上記フランジ上に組立てた状態のまま上記タンク内へ一括挿入し得るようにしたことを特徴とする請求項７乃至９のいずれか一項に記載のガス絶縁開閉装置。
【発明の詳細な説明】
【０００１】
【発明の属する技術分野】
この発明はガス絶縁開閉装置に関し、特に断路器および接地開閉器を備えたガス絶縁開閉装置に関するものである。
【０００２】
【従来の技術】
図７および図８は例えば特公平３−５０１４号公報の第１図に示された直角分岐形断路器に、特開昭６０−５７１１の第３図に示された接地開閉器が付属している構造とほぼ同一の従来のガス絶縁開閉装置の内部構造を示す概略断面図である。
【０００３】
図７および図８において、ガス絶縁開閉装置は、絶縁ガスを封入したタンク１と、このタンク１内に設けられ、互いに直交する第１および第２の導体２および３と、これら導体２および３を断路する断路器４と、断路器４が図に示す開位置にあるとき第１の導体２を接地させる接地開閉器５とを備えている。
【０００４】
断路器４は、第１の導体２の先端に接続部６を介して接続された第１の固定接触子７と、第２の導体３の先端に接続部８を介して接続された第２の固定接触子９と、接続部６内で第１の固定接触子７に常時接触しつつ摺動できるように設けられて第２の固定接触子９に対して離接して、第１および第２の固定接触子７および９の間を開閉する橋絡型の可動接触子１０と、タンク１の外壁に設けられて接続部６内にまで延びて可動接触子１０に連結され、可動接触子１０を駆動する第１の操作機構１１とを備えている。接続部６および接続部８はそれぞれ絶縁支持体１２によりタンク１から支持されている。
【０００５】
また、接地開閉器５は、上述の第１の固定接触子７と同様に第１の導体２に接続部６を介して接続された第３の固定接触子１３と、タンク１の外壁に設けられた第４の固定接触子１４と、この第４の固定接触子１２に対して常時接触しつつ摺動できるように設けられて第３の固定接触子１３に対して離接して、第３および第４の固定接触子１３および１４の間を開閉する橋絡型の第２の可動接触子１５と、タンク１の外壁に設けられて第２の可動接触子１５に連結され、この可動接触子１５を駆動する第２の操作機構１６とを備えている。また、タンク１には、作業用・確認用の複数のマンホール１７が設けられている。
【０００６】
【発明が解決しようとする課題】
従来のガス絶縁開閉装置用断路器では、可動側電極および固定側電極はそれぞれタンクから絶縁支持物にて固定され、かつ接地開閉器は前記断路器用電極に可動接触子が接続動作できるようタンクに固定されていた。こうした構造の断路器・接地開閉器においては、タンクを中心に各部品を組立てていくため、タンク内狭隘部での非効率的作業が多くかつ極間調整確認のための覗き穴が必要であった。また、断路器と接地開閉器のそれぞれで外部操作機構との接続をする必要があり、シャフトシールや固定用フランジ、操作装置などの削減に対して大きな障害となっていた。
【０００７】
この発明は、このような問題を解消することを目的とし、タンク内に配置された断路器および接地開閉器等の開閉機器とタンクとの間の接続支持構造を簡略にし、これら機器を一つのフランジによってのみ支持し、タンク外部で断路器および接地開閉器の組立を完了させ、タンクへは本組立構造ごと一括挿入して一ヵ所のフランジにて取付けることのできるガス絶縁開閉装置を提供することを目的とするものである。
【０００８】
【課題を解決するための手段】
この発明によれば、上述の課題を解決するための手段は次の通りである。
（１）絶縁ガスを封入したタンクと、このタンク内に設けられた第１および第２の導体と、上記第１および第２の導体を断路する断路器と、上記断路器が開位置にあるとき上記第１の導体を接地させる接地開閉器とを備え、上記断路器は、上記導体にそれぞれ設けられた第１および第２の固定接触子と、上記第１の固定接触子に対して常時接触しつつ摺動して上記第２の固定接触子に対して離接し、これら第１および第２の固定接触部子間を開閉する橋絡型の可動接触子と、上記可動接触子を開閉駆動する操作機構とを備え、上記接地開閉器は、上記第１の固定接触子に上記可動接触子である共通の橋絡型の可動接触子と、上記タンクに設けられ、上記可動接触子が上記第２の固定接触子から開離したときに上記可動接触子によって接触され、上記絶縁操作ロッドが貫通して延びた接地用の第３の固定接触子とを備え、上記操作機構は、上記可動接触子の摺動方向に上記第１の固定接触子を貫通して延びた絶縁操作ロッドを備えたものであることを特徴とするガス絶縁開閉装置。
【０００９】
（２）上記可動接触子は、上記第１の導体に対してほぼ直角な軸心を持つ長い部材であり、上記第１の固定接触子は上記可動接触子の周面を囲むように環状に配置されており、上記絶縁操作ロッドの軸心は上記可動接触子の上記軸心とほぼ整列しているものでもよい。
【００１０】
（３）上記断路器および上記接地開閉器は、上記可動接触子、上記第１の固定接触子および上記第２の固定接触子を支持する絶縁支持装置を備え、上記タンクの開口を閉塞する上記フランジだけに支持されたものでもよい。
【００１１】
（４）上記断路器および上記接地開閉器の上記タンク内に収容される部分の寸法が、上記タンク開口の寸法よりも小さくされ、上記断路器および上記接地開閉器を上記フランジ上に組立てた状態のまま上記タンク内へ一括挿入し得るようにしたものでもよい。
【００１２】
（５）上記第１の固定接触子は、上記第２の固定接触子に対向した断路器接触点と、上記第３の固定接触子に対向した接地開閉器接触点とを、別構造として備えたものでもよい。
【００１３】
（６）上記第１の固定接触子は、上記第２の固定接触子に対向した断路器接触点と、上記第３の固定接触子に対向した接地開閉器接触点とを共通の単一の接触点として備えたものでもよい。
【００１４】
（７）更に、ガス絶縁開閉装置は、絶縁ガスを封入したタンクと、このタンク内に設けられた第１および第２の導体と、上記第１および第２の導体を断路する断路器とを備え、上記断路器は、上記導体にそれぞれ設けられた第１および第２の固定接触子と、これら第１および第２の固定接触部間を開閉する橋絡他型の可動接触子と、上記可動接触子を開閉駆動する操作機構とを備え、上記可動接触子は、上記第１の固定接触子に対して常時接触しつつ摺動して上記第２の固定接触子に対して離接し得るものであり、上記操作機構は、上記可動接触子の摺動方向に上記第１の固定接触子を貫通して延びた絶縁操作ロッドを備えたことを特徴とするガス絶縁開閉装置である。
【００１５】
（８）上記可動接触子は、上記第１の導体に対してほぼ直角な軸心を持つ長い部材であり、上記第１の固定接触子は上記可動接触子の周面を囲むように環状に配置されており、上記絶縁操作ロッドの軸心は上記可動接触子の上記軸心とほぼ整列しているものでもよい。
【００１６】
（９）上記断路器は、上記タンクの開口を閉塞する上記フランジだけによって上記タンクに支持されているものでもよい。
【００１７】
（１０）上記断路器の上記タンク内に収容される部分の寸法が、上記タンク開口の寸法よりも小さくされ、上記断路器を上記フランジ上に組立てた状態のまま上記タンク内へ一括挿入し得るようにしたものでもよい。
【００１８】
【発明の実施の形態】
実施の形態１．
図１には、本発明の実施の形態１であるガス絶縁開閉装置内に設けられた断路器および接地開閉器の構造を示す。ガス絶縁開閉装置は、絶縁ガスを封入したタンク１と、このタンク１内に設けられた第１および第２の導体２ａおよび２ｂと、第１および第２の導体２ａおよび２ｂを断路する断路器２２と、断路器２２が開位置にあるときに第１の導体２ａを接地させる接地開閉器２３とを備えている。第１および第２の導体２ａおよび２ｂは互いに直交して配置された直角分岐構造である。タンク１は直交した２本の円筒部材で構成されたほぼＴ字型の直角分岐構造の接地容器であり、Ｔ字型の３つの端部のそれぞれには円形の開口１ａ、１ｂおよび１ｃが設けられていて、第１の導体２ａは開口１ａを通ってタンク１内に入って来ており、第２の導体２ｂは第２の開口１ｂを通ってタンク１内に挿入されている。
【００１９】
Ｔ字型タンク１の第３の開口１ｃは、周縁にほぼ環状の取付フランジ部１ｄを持ち、タンク１のほぼ円筒形部分の端部をほぼ全面積に亘って開放するものであり、またこの開口１は取付フランジ部１ｄにボルト等により取り付けられた円板状のフランジ１７により気密に閉塞されている。フランジ１７の内面にはアダプタ６を介して中空円筒形の絶縁支持体７ａおよび７ｂが取り付けられており、絶縁支持体７ａと７ｂとの間には第１の電極２１が支持され、絶縁支持体７ａの先端には第２の電極２２ａが支持されている。これら絶縁支持体７ａおよび７ｂは別個のものであっても連続した一体のものであってもよい。また、フランジ１７の外面には絶縁支持体１８を介して第３の電極２３ａと共に操作機構１５が支持されている。第３の電極２３ａは操作機構１５と共に接地される。このように、第１、第２および第３の電極２１、２２ａおよび２３ａならびに操作機構１５はいずれもフランジ１７だけによって支持されていて、タンク１等には接続されておらず、またこれらの電極２１、２２ａおよび２３ａは互いに離間して絶縁されており、第１の導体２ｂの軸心上に整列している。更に、フランジ１７に支持されてタンク内に収容される断路器および接地開閉器等の機器部分の寸法が、タンク開口１ａの寸法よりも小さくされていて、断路器および接地開閉器をフランジ１７上に組立てた状態のままタンク１内へ一括挿入し得るようにしてある。
【００２０】
第１の電極２１は、絶縁支持体７ａおよび７ｂによって支持された接続導体２１ａに取り付けられたほぼ中空円筒形で環状のフランジを持つ電極本体２１ｂを備えている。電極本体２１ｂの円筒部の両端にはリングばねにより内側に偏倚された多数のフィンガー状接触片で構成された接触子９および１１が設けられている。これら接触子９および１１は、電極本体２１ｂのフランジから軸方向に延びて、緩やかな曲面を持つ電界緩和用のシールド導体４を備えていて、全体として両端が丸くなった円筒形の第１の電極２１が構成されている。第１の電極２１の接続導体２１ａは、リングばねとフィンガー状接触片で構成された接触子３ａを介して第１の導体２ａの先端部に接続されている。この接触子３ａにも、また接続導体２１ａの反対側の部分にもそれぞれ電界緩和のためのシールド３ｃおよび１３が設けられている。
【００２１】
第２の電極２２ａは、絶縁支持体７ａに支持されたほぼ円板状の接続導体５と、接続導体５の内面側に取り付けられた接触子１０と、この接触子１０を覆うシールド１０ａと、接続導体５の外面側に取り付けられた接触子３ｂと、この接触子３ｂを覆うシールド３ｄとを備えている。接触子１０および３ｂは接触子９および１１と同様のリングばねと多数のフィンガー状接触片で構成された接触子である。第２の電極２２ａの外側の接触子３ｂには第２の導体２ｂの先端部が接続されている。
【００２２】
第３の電極２３ａは、フランジ１７の外面側から中央の開口１７ａを通ってタンク１内部にまで延びた中空の接続導体１２ａと、接続導体１２ａに設けられ、接触子９および１１と同様のリングばねと多数のフィンガー状接触片で構成された接触子１２と、この接触子１２を覆うシールド１２ｂとを備えている。第３の電極２３ａは接地されている。
【００２３】
先に説明した操作機構１５は、第３の電極２３ａに連結されてタンク１の外側に設けられており、絶縁支持体１８を介してフランジ１７によってタンク１に支持されている。操作機構１５は、絶縁支持体１８によって支持されたケーシング１６と、ケーシング１６内に設けられ、図示してない外部の駆動装置により開閉動作をさせられるリンク機構１５ａと、一端でリンク機構１５ａに連結されて他端が第３の電極２３ａの接続導体１２ａおよび接触子１２を貫通して延びた操作ロッド１４とを備えている。操作ロッド１４の他端には第１、第２および第３の電極間を電気的に開閉するように軸方向に摺動するロッド形の可動接触子８が連結されている。第２の導体２ｂ、第２の電極２２ａ、第１の電極２１、第３の電極２３ａ、可動接触子８および操作ロッド１４は互いに軸整列している。
【００２４】
このように、本発明のガス絶縁開閉装置に於いては、接地開閉器２３は、第１の電極２１の第１の固定接触子９に橋絡型の可動接触子８と、タンク１に設けられ、可動接触子８が第２の固定接触子１０から開離したときに可動接触子８によって接触され、絶縁操作ロッド１４が貫通して延びた接地用の第３の固定接触子１２とを備えていると言える。また、操作機構１５は、可動接触子８の摺動方向に第１の固定接触子９を貫通して延びた絶縁操作ロッド１４を備えている。
【００２５】
図２（ａ）乃至図２（ｃ）は、図１のガス絶縁開閉装置の断路器２２および接地開閉器２３の開閉動作を示している。図２（ａ）は、断路器開放および接地開閉器投入状態であり、可動接触子８が接触子１１と１２の間を接続している。この状態から、外部駆動力により操作機構１５のリンク１５ａおよび絶縁ロッド１４を介して可動接触子８が直線移動して図２（ｂ）の状態に達する。この状態では、第１の電極２１のシールド４の中に可動接触子８が収納され、断路器２２および接地開閉器２３の両者が開放状態となる。さらに、可動接触子８が直線移動していくと、図２（ｃ）のように接触子９と１０の間を接続するようになり、断路器投入状態となる。このように３ポイント位置を往復運動させることにより、断路器２２および接地開閉器２３の入切動作を操作することが可能である。また、この構造では、断路器２２と接地開閉器２３の可動接触子９および１１を有する第１の電極２１が共通化されて単一とされているため、可動接触子や絶縁ロッドおよび外部操作機構などの部品点数の削減と、それら削減部品部の収納スペースの縮小、シャフトシールの削減といった効果があり、コスト削減に多いに有効となっている。
【００２６】
図３は、図１の断路器２２および接地開閉器２３の組立方法を示している。図１および図２（ａ）乃至図２（ｃ）で示したように、断路器２２および接地開閉器２３の固定用のフランジ１７やシャフトシールなどを、アダプタ１７側に集約することで、タンク１の外部にて、図３に示すように断路器２２および接地開閉器２３の極間芯出し調整も含めた内部組立が完了する。ここで、この内部組立をタンクの開口部１２ａより小さい径にて構成しておくことにより、タンク１への一括挿入が可能となり、アダプタ１７をタンク１のフランジに取付けることにより、断路器２２および接地開閉器２３の全組立工程が完了する。また、上述のような手順であるため、タンク内部での極間調整および絶縁ロッド接続が不必要であるため、これら作業用・確認用マンホールは不要とすることができる。
本発明におけるガス絶縁開閉装置は以上のような構造を有しているため、▲１▼断路器および接地開閉器の複合化による部品点数の削減、▲２▼固定部およびシャフト引出部の一方向集約に伴うタンク外での一括組立による作業の高効率化、▲３▼タンクの固定部用やシャフトシール用および作業用・確認用マンホールのフランジ削減によるタンク費用の低減、を達成したガス絶縁開閉装置を得ることが可能となる。
【００２７】
実施の形態２．
図４は、この発明の実施の形態２であるガス絶縁開閉装置の断路器および接地開閉器の構造を示すものである。このガス絶縁開閉装置と実施の形態１における図１のものとの相違点は、図１のものでは絶縁支持体である極間絶縁物７ｂと絶縁アダプタ１８とがそれぞれフランジ１７に固着された別個の部品であるのに対して、この実施の形態のガス絶縁開閉装置に於いては、絶縁支持体７ｂに相当する絶縁支持体１９が、フランジ１７の開口１７ａを貫通してフランジ１７を越えて延びてフランジ１７の外部にまで延びた、一体の連続した部品とされている点である。図示の例では絶縁支持体１９の外端（図で下端）がフランジ１７の外面で固着されて気密にシールされており、またこの外端に操作機構１５が設けられている。その他の構成は先の実施の形態と同様である。この実施の形態によれば、実施の形態１の作用効果に加え、さらに部品点数の削減を達成した構造とすることができる。
【００２８】
実施の形態３．
図５は、この発明の実施の形態３であるガス絶縁開閉装置の断路器２２および接地開閉器２３の構造を示すものである。同図は、実施の形態１における図１の二つの接触子９および１１を持つ電極２１の代わりに、シールド４の中間位置近傍に接触子２０を一個だけ有する電極２４が配置されたものである。可動接触子８は、その入切動作による直線運動のどの状態においても接触子２０と接触している状態にあり、電極２４の接触子２０は断路器２２および接地開閉器２３に対して共通の接触子として作用する。この構造によれば、実施の形態１および２の作用効果に加え、さらに接触子の個数を削減した構造とすることができる。
【００２９】
実施の形態４．
図６は、発明の実施の形態４であるガス絶縁開閉装置の構造を示すものである。基本構造は実施の形態１と同じであるが、図１に示す実施の形態１のガス絶縁開閉装置と比べると、接地開閉器２３が無く、断路器２２だけを備えていることが相違している。このため、第１の導体２ａの先端に接続された第１の電極２１ｂには断路器２２用の接触子９だけが設けられていて、接触子１１に相当する接触子は無く、フランジ１７側でも第３の電極２３ａに相当する電極が設けられていない。可動接触子８は第１および第２の電極２１および２３ａ間だけを開閉するものであるので、操作機構１５のストロークは図１の装置より短くてよい。その他の構成は図１のガス絶縁開閉装置と同様である。
【００３０】
このガス絶縁開閉装置に於いても、断路器２２、操作機構１５およびその周辺機器が全てフランジ１７を介してタンク１に取付られており、その寸法もタンク１の開口１ａを通すことのできるような大きさにしてある。このため、先に説明した実施の形態と同様に、組立がタンク１外部で高効率ででき、タンク１内部での極間調整および絶縁ロッド接続が不必要であり、またこれらの行程のための作業用および確認用マンホールは不要である。
【００３１】
【発明の効果】
以上の如く本発明のガス絶縁開閉装置による効果は次の通りである。
（１）ガス絶縁開閉装置の断路器は、導体にそれぞれ設けられた第１および第２の固定接触子と、第１の固定接触子に対して常時接触しつつ摺動して第２の固定接触子に対して離接し、これら第１および第２の固定接触部子間を開閉する橋絡型の可動接触子と、可動接触子を開閉駆動する操作機構とを備え、接地開閉器は、第１の固定接触子に可動接触子である共通の橋絡型の可動接触子と、タンクに設けられ、可動接触子が第２の固定接触子から開離したときに可動接触子によって接触され、絶縁操作ロッドが貫通して延びた接地用の第３の固定接触子とを備え、操作機構は、可動接触子の摺動方向に第１の固定接触子を貫通して延びた絶縁操作ロッドを備えたものである。従って、タンク内に配置された断路器および接地開閉器等の開閉機器とタンクとの間の接続支持構造が簡単である。
【００３２】
（２）可動接触子は、第１の導体に対してほぼ直角な軸心を持つ長い部材であり、第１の固定接触子は可動接触子の周面を囲むように環状に配置されており、絶縁操作ロッドの軸心は可動接触子の軸心とほぼ整列しているものでもよいので、タンク内に配置された断路器および接地開閉器等の開閉機器とタンクとの間の接続支持構造を簡略にし、これら機器を一つのフランジによってのみ支持することができる。
【００３３】
（３）断路器および接地開閉器は、可動接触子、第１の固定接触子および第２の固定接触子を支持する絶縁支持装置を備え、タンクの開口を閉塞するフランジだけに支持されたものでもよいので、これら機器を一つのフランジによってのみ支持し、タンク外部で断路器および接地開閉器の組立を完了させ、タンクへは本組立構造ごと一括挿入して一ヵ所のフランジにて取付けることができる。
【００３４】
（４）断路器および接地開閉器のタンク内に収容される部分の寸法が、タンク開口の寸法よりも小さくされ、断路器および接地開閉器をフランジ上に組立てた状態のままタンク内へ一括挿入し得るようにしたものでもよいので、タンク外部で断路器および接地開閉器の組立を完了させ、タンクへは本組立構造ごと一括挿入して一ヵ所のフランジにて取付けることができる。
【００３５】
（５）第１の固定接触子は、第２の固定接触子に対向した断路器接触点と、第３の固定接触子に対向した接地開閉器接触点とを、別構造として備えたものでもよいので、タンク内に配置された断路器および接地開閉器等の開閉機器とタンクとの間の接続支持構造を簡略にすることができる。
【００３６】
（６）第１の固定接触子は、第２の固定接触子に対向した断路器接触点と、第３の固定接触子に対向した接地開閉器接触点とを共通の単一の接触点として備えたものでもよいので、タンク内に配置された断路器および接地開閉器等の開閉機器とタンクとの間の接続支持構造を簡略にすることができる。
【００３７】
（７）更に、ガス絶縁開閉装置は、絶縁ガスを封入したタンク内に設けられた第１および第２の導体を断路する断路器を備え、断路器は、導体に設けられた第１および第２の固定接触子と、これら第１および第２の固定接触部間を開閉する橋絡他型の可動接触子と、可動接触子を開閉駆動する操作機構とを備え、この可動接触子は、第１の固定接触子に対して常時接触しつつ摺動して第２の固定接触子に対して離接し得るものであり、操作機構は、可動接触子の摺動方向に第１の固定接触子を貫通して延びた絶縁操作ロッドを備えたものであるので、タンク内に配置された断路器とタンクとの間の接続支持構造を簡略にすることができる。
【００３８】
（８）可動接触子は、第１の導体に対してほぼ直角な軸心を持つ長い部材であり、第１の固定接触子は可動接触子の周面を囲むように環状に配置されており、絶縁操作ロッドの軸心は可動接触子の軸心とほぼ整列しているものでもよいので、タンク内に配置された断路器とタンクとの間の接続支持構造を簡略にし、これら機器を一つのフランジによってのみ支持することができる。
【００３９】
（９）断路器は、タンクの開口を閉塞するフランジだけによってタンクに支持されているので、機器を一つのフランジによってのみ支持することができる。
【００４０】
（１０）断路器のタンク内に収容される部分の寸法が、タンク開口の寸法よりも小さくされ、断路器をフランジ上に組立てた状態のままタンク内へ一括挿入し得るようにしたものでもよいので、タンク外部で断路器および接地開閉器の組立を完了させ、タンクへは本組立構造ごと一括挿入して一ヵ所のフランジにて取付けることができる。
【図面の簡単な説明】
【図１】この発明の実施の形態１の断路器および接地開閉器を備えたガス絶縁開閉装置の構造を示す概略断面図である。
【図２】図１のガス絶縁開閉装置の動作を示す説明図である。
【図３】図１のガス絶縁開閉装置の組立方法を示す説明図である。
【図４】この発明の実施の形態２のガス絶縁開閉装置を示す概略断面図である。
【図５】この発明の実施の形態３のガス絶縁開閉装置を示す概略断面図である。
【図６】この発明の実施の形態４のガス絶縁開閉装置を示す概略断面図である。
【図７】従来のガス絶縁開閉装置の内部機構を示す概略断面図である。
【図８】図７のガス絶縁開閉装置の概略側断面図である。
【符号の説明】
１　タンク、１ａ　開口、２ａ、２ｂ　第１および第２の導体、４、５　シールド、７ａ、７ｂ　絶縁支持装置、８　可動接触子、９、１０、１１、１２　固定接触子、１３　端末シールド、１４　絶縁操作ロッド、１５　操作機構、１５ａ　リンク、１７　フランジ、２２　断路器、２３　接地開閉器。
【図１】
2004096806.tif 000003
【図２】
2004096806.tif 000004
【図３】
2004096806.tif 000005
【図４】
2004096806.tif 000006
【図５】
2004096806.tif 000007
【図６】
2004096806.tif 000008
【図７】
2004096806.tif 000009
【図８】
2004096806.tif 000010